(57)【要約】【課題】従来の回帰式による体脂肪率演算や筋肉量演算に適さない被検者に対して、これらの演算に代えて適切な体組成の指標を提示できる体組成計を提供する。【解決手段】体組成計１０は、被検者の生体インピーダンスを取得して、生体インピーダンスに相関する回帰式によらない指数を、被検者の体組成の指標として、前記被検者に提示するように構成されている。【選択図】図２
2008279173.tif 000002
【特許請求の範囲】
【請求項１】
被検者の身体部位の生体インピーダンスを取得して、前記生体インピーダンスに相関する回帰式によらない指数を、前記被検者の体組成の指標として前記被検者に提示する体組成計。
【請求項２】
前記生体インピーダンスを測定するインピーダンス測定手段と、前記被検者の個人パラメータを前記制御手段に入力できる個人パラメータ取得手段と、制御手段と、を備え、
前記制御手段は、前記個人パラメータおよび前記生体インピーダンスに基づいて前記指数を導く、請求項１記載の体組成計。
【請求項３】
前記制御手段は、前記指数に基づいて前記被検者が特異体型を有するか否かを判定する、請求項２記載の体組成計。
【請求項４】
前記制御手段は、中央処理装置と、記憶装置と、を備え、
前記中央処理装置は、前記被検者が特異体型を有すると判定した場合には、前記指数を前記被検者の体組成の指標として前記被検者に提示し、
前記被検者が特異体型を有しないと判定した場合には、前記記憶装置に予め記憶された前記被検者の体組成演算用回帰式を読み出し、前記個人パラメータおよび生体インピーダンスに基づいて前記体組成演算用回帰式から前記被検者の体組成を導く、請求項３記載の体組成計。
【請求項５】
前記個人パラメータは、前記被検者の身長または身体部位の長さを含む請求項４記載の体組成計。
【請求項６】
前記個人パラメータは、前記被検者の体重を更に含む請求項５記載の体組成計。
【請求項７】
前記指数は、前記被検者の筋肉量指数または筋肉率指数である請求項６記載の体組成計。
【発明の詳細な説明】
【技術分野】
【０００１】
本発明は、体組成計に係り、更に詳しくは、体脂肪率や筋肉量などの人体の体組成測定精度の改善技術に関する。
【背景技術】
【０００２】
内臓脂肪の増加は成人病の原因となるので、成人病の予防の観点から体脂肪率や筋肉量を日常的にチェックしたいという要望がある。このような健康管理の意識向上に応える点から体脂肪率や筋肉量を簡易的に測定する体組成計が注目されている。
【０００３】
体組成計による体脂肪率や筋肉量の測定は、ＢＩＡ法（bioelectrical impedance analysis）により、概ね以下のようにして実行される。まず、被検者自ら、身長、性別、年齢などの個人パラメータを体組成計に入力することにより、体組成計は、これらの個人パラメータを取得する。次に、体組成計の表面に配置された測定電極に被検者の適宜の身体部位を接触させることにより、体組成計は、生体インピーダンスを測定する。その後、体組成計は、個人パラメータおよび生体インピーダンスを用いて、所定の体脂肪率演算用および筋肉量演算用の回帰式により、体脂肪率や筋肉量を演算する。このようにして、比較的手軽に体脂肪率や筋肉量が得られるようになっている。
【０００４】
つまり、従来の体脂肪率や筋肉量の測定は、基準となる二重Ｘ線吸収法（ＤＸＡ法）によるデータの収集を行い、生体インピーダンスとの間の回帰分析により統計処理して得られた体脂肪率演算用および筋肉量演算用の回帰式を用いてなされている（例えば、特許文献１や特許文献２参照）。
【特許文献１】特開２００３−２６５４２７号公報
【特許文献２】特開２００４−０８１６２１号公報
【発明の開示】
【発明が解決しようとする課題】
【０００５】
ところで、上述の回帰式は、一般的な成人グループを対象として導かれているので、この回帰式による体脂肪率や筋肉量の演算に適さないような特異体型を持つ被検者が存在する。例えば、一般的な成人グループに属さないアスリート（athlete；競技者）に対して、従来の体脂肪率の回帰式を適用すると、極端な場合、体脂肪率の数値がマイナスになってしまう。なお、このような特異体型を持つ被検者には、アスリートの他に、高齢者、幼児、病人などが想定されている。
【０００６】
上述の不都合に対して、被検者自らアスリート測定モードを選択すると、通常の回帰式とは別個のアスリートモード専用の回帰式を用いて、体脂肪率などの測定結果を被検者に提示する従来製品がある。
【０００７】
しかしながら、このような従来製品の場合、アスリートの定義自体が難しく、被検者の混乱を招きかねない。また、被検者による回帰式の選択如何によって、体脂肪率や筋肉量の測定結果が大幅にずれ、有意義な健康管理を行えない可能性もある。
【０００８】
本発明は、このような事情に鑑みてなされたものであり、従来の回帰式による体脂肪率演算や筋肉量演算に適する被検者とそうでない被検者とを適切に判定できる体組成計を提供することを目的とする。
【０００９】
また、本発明は、従来の回帰式による体脂肪率演算や筋肉量演算に適さない被検者に対して、これらの演算に代えて適切な体組成の指標を提示できる体組成計を提供することを目的とする。
【課題を解決するための手段】
【００１０】
ＢＩＡ法には、１９６９年、Ｈｏｆｆｅｒにより提唱された被検者（全身の場合）の除脂肪体積式「身長2÷生体インピーダンス」や被検者（全身の場合）の除脂肪割合式「身長2÷生体インピーダンス÷体重（％）」が用いられている（例えば「医学のあゆみ Ｖｏｌ．１９８  Ｎｏ．１３  ２００１．９．２９  Ｐ９８１〜Ｐ９８５」参照）。
【００１１】
そこで、本件発明者等は、まず、アスリートの除脂肪体積や除脂肪割合について精査した。なお、被検者の除脂肪体積は、被検者の筋肉量にほぼ等しく（正確には、除脂肪体積から骨量を減算）、被検者の除脂肪割合は、被検者の筋肉率にほぼ等しい。よって、本明細書では、便宜上、アスリートの「除脂肪体積」および「除脂肪割合」から、後述のように規格化して得られた数値を、直感的に理解し易い「筋肉量指数」および「筋肉率指数」と称するものとする。
【００１２】
図８は、アスリートの身体部位毎の「除脂肪体積」および「除脂肪割合」を、一般的な成人のそれらと比較して示した図である。ここでのアスリートは、スポーツジムに所属する競技者の中から無作為に選別され、サンプル人数は約４０人であった。また、被検者の身体部位として、右腕、左腕、体幹、右脚、左脚を選んだ。
【００１３】
図８（ａ）では、一般的な成人の身体部位毎の「除脂肪体積」の平均値を「１００」とし、アスリートの身体部位毎の「除脂肪体積」の平均値が規格化され、「筋肉量指数」として、その数値とともに棒グラフＡで表示されている。
【００１４】
図８（ｂ）では、一般的な成人の身体部位毎の「除脂肪割合」の平均値を「１００」とし、アスリートの身体部位毎の「除脂肪割合」の平均値が規格化され、「筋肉率指数」として、その数値とともに棒グラフＡで表示されている。
【００１５】
図８（ａ）に示すように、アスリートの「筋肉量指数」の棒グラフＡは、全ての身体部位について、一般的な成人の平均値「１００」を上回るように延びており、特に、アスリートの「右腕」、「左腕」および「体幹」の増加度合いが顕著であることが分かる。
【００１６】
また、図８（ｂ）に示すように、アスリートの「筋肉率指数」の棒グラフＡは、アスリートの「右腕」、「左腕」および「体幹」について、一般的な成人の平均値「１００」を上回るように延びていることが分かる。
【００１７】
このような測定結果により、被検者の身体部位毎の「筋肉量指数」を導出する式「（身体部位の長さ）2÷（身体部位の生体インピーダンス）」や被検者の身体部位毎の「筋肉率指数」を導出する式「（身体部位の長さ）2÷（身体部位の生体インピーダンス）÷体重」を使用すれば、アスリートと一般的な成人とを適切に区別できると期待される。
【００１８】
本発明は、このような知見に基づいて案出されたものであり、本発明の体組成計は、被検者の身体部位の生体インピーダンスを取得して、前記生体インピーダンスに相関する回帰式によらない指数を、前記被検者の体組成の指標として前記被検者に提示するように構成されている。
【００１９】
これにより、回帰式を用いたＢＩＡ法に適用困難な被検者に対して、適切な体組成の指標を提示できる。
【００２０】
この場合、本発明の体組成計は、前記生体インピーダンスを測定するインピーダンス測定手段と、前記被検者の個人パラメータを前記制御手段に入力できる個人パラメータ取得手段と、制御手段と、を備え、前記制御手段は、前記個人パラメータおよび前記生体インピーダンスに基づいて前記指数を導いてもよい。
【００２１】
また、  前記制御手段は、前記指数に基づいて前記被検者が特異体型を有するか否かを判定してもよい。
【００２２】
これにより、被検者が特異体型を有する場合とそうでない場合とを適切に区別できるようになり、その結果、体組成計の体組成測定の信頼性が向上する。
【００２３】
また、前記制御手段は、中央処理装置と、記憶装置とを備え、前記中央処理装置は、前記被検者が特異体型を有すると判定した場合には、前記指数を前記被検者の体組成の指標として前記被検者に提示し、前記被検者が特異体型を有しないと判定した場合には、前記記憶装置に予め記憶された前記被検者の体組成演算用回帰式を読み出し、前記個人パラメータおよび生体インピーダンスに基づいて前記体組成演算用回帰式から前記被検者の体組成を導いてもよい。
【００２４】
このようにして、既存の体脂肪計などに、被検者が特異体型を有する場合の特殊な測定モードを組み込むことができる。
【００２５】
これにより、回帰式を用いたＢＩＡ法に適用困難な被検者に対して、適切な体組成の指標を提示でき、一般的な成人や特異体型の持ち主を問わず、広く体組成の評価が行える。
【００２６】
前記個人パラメータは、前記被検者の身長または身体部位の長さを含んでもよい。
【００２７】
これにより、「（身体部位の長さ）2÷（身体部位の生体インピーダンス）」の式を用いて「筋肉量指数」を演算できる。
【００２８】
また、前記個人パラメータは、前記被検者の体重を更に含んでもよい。
【００２９】
これにより、「（身体部位の長さ）2÷（身体部位の生体インピーダンス）÷体重」の式を用いて「筋肉率指数」を演算できる。
【００３０】
このように、前記指数は、前記被検者の「筋肉量指数」または「筋肉率指数」であってもよい。
【００３１】
これらの「筋肉量指数」や「筋肉率指数」については、一般的な成人を対象にした従来の回帰係数のような経験的な補正値に影響されず、高精度の体組成指標であり好適である。このため、これまで不適格と見做されていた「運動中の測定」であっても、これらの指数の変化を「生理変化」と捉えることができ、体組成計の汎用性の向上が期待できる。
【発明の効果】
【００３２】
本発明によれば、従来の回帰式による体脂肪率演算や筋肉量演算に適する被検者とそうでない被検者とを適切に判定できる体組成計が得られる。
【００３３】
また、本発明によれば、従来の回帰式による体脂肪率演算や筋肉量演算に適さない被検者に対して、これらの演算に代えて適切な体組成の指標を提示できる体組成計が得られる。
【発明を実施するための最良の形態】
【００３４】
以下、本発明の実施形態について図面を参照しながら説明する。
【００３５】
図１は、本実施形態の体組成計の外観を示した斜視図であり、未使用時にその本体部１１を体重測定部１３にコンパクトに収納した状態を示している。
【００３６】
体組成計１０は、主として、本体部１１と体重測定部１３とを備え、体重測定部１３には本体部１１を収納するための本体収納部１３ａ（図２参照）が設けられ、ここに本体部１１の脱着部１１ａ（図２参照）を嵌め込むことができる。つまり、体重測定部１３の本体収納部１３ａに、本体部１１の脱着部１１ａを嵌め込むと、体組成計１０は図１に示すような状態となる。このように、本体部１１は、体重測定部１３から適宜に脱着できる。
【００３７】
図２は、体重測定部から本体部を離脱させた際の体組成計の外観を示した斜視図である。体組成計１０を使用するときは、このように体重測定部１３から本体部１１を離脱させ、後で述べるように本体部１１を両手で保持する。図３は、本実施形態の体組成計の信号処理に関するハードウェア構成を示したブロック図である。
【００３８】
まず、図２および図３を参照しながら、本実施形態の体組成計１０の信号処理系のハードウェア構成の概略を説明する。
【００３９】
図２および図３に示すように、体組成計１０の信号処理系のハードウェア構成は、生体インピーダンス測定用の電極Ｅ１〜Ｅ８およびインピーダンス測定回路２１を含むインピーダンス測定手段２２と、入力操作部１５と、表示部１４と、体重測定用のロードセル２０と、入出力装置２３と、制御手段２４と、を備える。制御手段２４は、マイクロプロセッサにより構成される中央処理装置２６（ＣＰＵ）と、ＲＯＭやＲＡＭなどの内部メモリからなる記憶装置２５とを有する。
【００４０】
四つの脚用電極（Ｅ５、Ｅ６、Ｅ７、Ｅ８）およびロードセル２０は、体重測定部１３に設けられた部材または部品である。四つの手用電極（Ｅ１、Ｅ２、Ｅ３、Ｅ４）、インピーダンス測定回路２１、入力操作部１５、表示部１４、入出力装置２３および制御手段２４は、本体部１１に設けられた部材または部品である。
【００４１】
図２に示すように、本体部１１と体重測定部１３とは信号ケーブル１２によって接続されている。信号ケーブル１２は多芯のケーブルである。本体部１１に内蔵する部材と体重測定部１３に内蔵する部材との間の電気信号の送受信は、すべて信号ケーブル１２を介してなされる。
【００４２】
例えば、脚用電極（Ｅ５、Ｅ６、Ｅ７、Ｅ８）とインピーダンス測定回路２１との間、および、ロードセル２０と入出力装置２３との間は、信号ケーブル１２によって接続されている。
【００４３】
また、図３に示すように、インピーダンス測定回路２１、入力操作部１５、表示部１４およびロードセル２０と、制御手段２４との間の信号やデータの伝送は、すべて入出力装置２３を介して行われる。また、図示してはいないが、各種信号やデ−タは、必要に応じてＡ／Ｄ変換器（図示せず）でディジタル化されて伝送される。
【００４４】
次に、図２を参照しながら、本実施形態の体組成計１０の各部の構成を詳しく説明する。
【００４５】
本体部１１は、携帯可能な比較的薄型の矩形状をなしている。
【００４６】
本体部１１は、図２に示すように、表示部１４と入力操作部１５とを備える。
【００４７】
入力操作部１５には、電源スイッチ、被検者による入力用スイッチなど各種のスイッチ（図示せず）が配設されている。つまり、入力操作部１５は、被検者が身長、性別、年齢などの個人パラメータを制御手段２４に入力できるように構成された個人パラメータ取得手段として機能する。
【００４８】
なお、被検者は、自己の身長に代えて、後述の被検者の身体部位の長さを入力してもよい。また、体組成計１０は、適宜の測定手段（図示せず）を用いて被検者の身長や身体部位の長さを測定してもよい。
【００４９】
表示部１４には、中央処理装置２６から出力された体組成測定に関連する被検者への各種メッセージの他、入力操作部１５にて被検者が入力した身長、性別および年齢などの個人パラメータ、後述する生体インピーダンスや体組成が出力表示される。
【００５０】
また、本体部１１には、その左右端に左突出部１６ａと右突出部１６ｂとが形成されている。両突出部１６ａ、１６ｂは、図２に示すように、左右方向に突出した板状の部分である。被検者は左手（正確には左手の指先）で左突出部１６ａを、右手（正確には右手の指先）で右突出部１６ｂを把持することによって、本体部１１を保持することができる。
【００５１】
ロードセル２０は、体重測定部１３に内蔵され、被検者の体重を測定できるセンサである。被検者が、自己の体重を測定するために体重測定部１３の測定面１７に載ると、被検者の体重がロードセル２０によって検出可能な状態になる。つまり、ロードセル２０は、被検者の個人パラメータとしての体重を測定することにより、当該個人パラメータを制御手段２４に入力できるように構成された個人パラメータ取得手段として機能する。なお、このようなロードセル２０に代えて、被検者が自己の体重を上述の入力操作部１５を用いて入力してもよい。なお、上述の個人パラメータは、記憶装置２５に記憶される。
【００５２】
なお、ロードセル２０によって検出された被検者の体重のデ−タは、検出精度を保持するべく、特に図示されないアンプによって増幅された後にＡ／Ｄ変換され、ディジタル信号として入出力装置２３を介して制御手段２４に伝送されて、記憶装置２５に記憶される。
【００５３】
次に、被検者の身体部位毎の生体インピーダンスを測定するインピーダンス測定手段２２に関係する構成を説明する。
【００５４】
図２に示すように、左突出部１６ａの一端面には電極Ｅ１が配設され、左突出部１６ａの他端面には電極Ｅ２が配設されている。また、右突出部１６ｂの一端面には電極Ｅ４が配設され、右突出部１６ｂの他端面には電極Ｅ３が配設されている。
【００５５】
被検者は、左手の人指し指の指先が電極Ｅ１に接触するように、かつ、左手の親指の指先が電極Ｅ２に接触するようにして、左手で左突出部１６ａを把持する。また、被検者は、右手の人指し指の指先が電極Ｅ４に接触するように、かつ、右手の親指の指先が電極Ｅ３に接触するようにして、右手で右突出部１６ｂを把持する。
【００５６】
体重測定部１３の測定面１７には脚用電極（Ｅ５、Ｅ６、Ｅ７、Ｅ８）が配設されている。測定面１７に被検者が載ると、被検者の脚の裏が各脚用電極（Ｅ５、Ｅ６、Ｅ７、Ｅ８）に接触する。より詳細に説明すると、体重測定部１３に被検者が載ると、被検者の左脚の裏の土踏まずより前方部分（この部分を以下、「左脚母指丘部分」とも呼ぶ）が電極Ｅ５に接触する。また、左脚の裏の踵部分が電極Ｅ６に接触する。また、右脚の裏の土踏まずより前方部分（この部分を以下、「右脚母指丘部分」とも呼ぶ）が電極Ｅ８に接触する。また、右脚の裏の踵部分が電極Ｅ７に接触する。
【００５７】
次に、インピーダンス測定手段２２による被検者の生体インピーダンス測定について説明する。
【００５８】
電極Ｅ１〜Ｅ８のうち、電極（Ｅ１、Ｅ４、Ｅ５、Ｅ８）は、被検者の身体に電流路を形成するための電流路形成用電極として機能する。また、電極（Ｅ２、Ｅ３、Ｅ６、Ｅ７）は、被検者の身体に生ずる電圧分布に応じて２極間の電圧を測定するための電圧測定用電極として機能する。
【００５９】
詳しくは、図３に示したインピーダンス測定回路２１には、電極切換スイッチ部、電流源および電圧測定部など(いずれも図示せず)が配置されている。インピーダンス測定回路２１の電流源は、電極切換スイッチ部を介して四つの電流路形成用電極（Ｅ１、Ｅ４、Ｅ５、Ｅ８）のうちの任意の二の電極に接続される。
【００６０】
例えば、電極Ｅ１及びＥ５または電極Ｅ４及びＥ８を介して各々、人体の左手と左脚または右手と右脚を末端とする電流路を形成することができる。
【００６１】
この電流源は交流周波数の電流を発生させるものである。電流源は、複数の所定の周波数のうちの選択された一の周波数の交流電流を発生させることができる。
【００６２】
また、インピーダンス測定回路２１の電圧測定部は、電極切換スイッチ部を介して四つの電圧測定用電極（Ｅ２、Ｅ３、Ｅ６、Ｅ７）のうちの任意の二の電極に接続される。電流源が接続される電極および電圧測定部が接続される電極を、電極切換スイッチ部によって順次切替えてゆくことにより、身体の種々の身体部位の間の電位差（電圧）を検出することができる。電圧測定部が検出した電圧のデータは、入出力装置２３を介して制御手段２４に伝送される。電流源によって発生する電流値は予め決められた一定値であるため、電圧測定部からの電圧データを得ることによりインピーダンスを算出することができる。
【００６３】
つまり、四つの電流路形成用電極（Ｅ１、Ｅ４、Ｅ５、Ｅ８）の内の二の電極間で所定周波数の微弱な交流電流を流すと、この電流によって被検者の身体に電圧分布が生ずる。このような状態において、四つの電圧測定用電極（Ｅ２、Ｅ３、Ｅ６、Ｅ７）の内の二の電極間の電圧を測定する。そして、被検者の身体を流れる電流の電流値と、測定された電圧値とから、生体インピーダンスを算出することができる。この生体インピーダンスの算出の動作は、制御手段２４により実行される。
【００６４】
図４は、被検者の身体部位毎（両腕、体幹および両脚）における生体インピーダンスの配置例を模式的に示す図である。この図４を参照しながら、被検者の身体部位毎の生体インピーダンスの測定例を、以下に説明する。
【００６５】
図４中に記載の生体インピーダンス（Ｚ１）は、被検者の左腕の生体インピーダンスであり、生体インピーダンス（Ｚ２）は、右腕の生体インピーダンスであり、生体インピーダンス（Ｚ３）は、体幹の生体インピーダンスであり、生体インピーダンス（Ｚ４）は、左脚の生体インピーダンスであり、生体インピーダンス（Ｚ５）は、右脚の生体インピーダンスである。
【００６６】
図４を用いて、被検者の所定の身体部位の生体インピーダンスがどのようにして測定されるかを例示する。例えば、電極Ｅ１と電極Ｅ５との間に電流が流されると、左手の指と左脚の裏を末端とした電流路が人体に形成される。このときの電流路は、図中の生体インピーダンス（Ｚ１、Ｚ３、Ｚ４）によって形成される。
【００６７】
このような電流路が形成されているときに、電極Ｅ３と電極Ｅ７との間の電圧を測定すると、生体インピーダンス（Ｚ２）と生体インピーダンス（Ｚ５）に電流源からの電流が流れずこれらの生体インピーダンス（Ｚ２、Ｚ５）に起因する電圧降下は発生しないので、体幹の生体インピーダンス（Ｚ３）は、この測定電圧を既知の電流値で除することにより導くことができる。
【００６８】
また、電極Ｅ１と電極Ｅ５との間に電流を流し、電極Ｅ２と電極Ｅ３との間の電圧を測定すると、生体インピーダンス（Ｚ２）に電流源からの電流が流れずこの生体インピーダンス（Ｚ２）に起因する電圧降下は発生しないので、左腕の生体インピーダンス（Ｚ１）は、この測定電圧を既知の電流値で除することにより導くことができる。
【００６９】
これらの例から理解されるように、電流路形成用電極（Ｅ１、Ｅ４、Ｅ５、Ｅ８）と、電圧測定用電極（Ｅ２、Ｅ３、Ｅ６、Ｅ７）とを適宜選択することにより、被検者の身体部位毎の生体インピーダンス、つまり、被検者の左腕の生体インピーダンス（Ｚ１）、右腕の生体インピーダンス（Ｚ２）、体幹の生体インピーダンス（Ｚ３）、左脚の生体インピーダンス（Ｚ４）、右脚の生体インピーダンス（Ｚ５）を、適切に測定できる。
【００７０】
次に、体組成計１０による被検者の体組成測定の動作例について、図面を参照しながら説明する。
【００７１】
図５は、本実施形態の体組成計による体組成測定モードの主要な動作を示したフローチャートである。
【００７２】
図６は、本実施形態の体組成計の体組成測定動作の経過に応じて変化する表示部の画面例を示した図である。
【００７３】
被検者が体組成計１０の入力操作部１５の電源スイッチを押すと、表示部１４には複数の測定メニューが表示され、入力操作部１５を用いた操作により体組成測定モードを開始することができる。
【００７４】
なお、本測定モードを以下のように実行するにあたり、被検者の行う各種入力手順の指示は、表示部１４にメッセージ表示される。ここで、被検者が体組成測定モードを選択すると、記憶装置２５に予め記憶された体組成導出用プログラムが、中央処理装置２６に読み込まれて、このプログラムが以下の処理を体組成計１０の各機器を制御しながら実行する。
【００７５】
まず、体組成計１０の中央処理装置２６から入出力装置２３を介して被検者の個人パラメータのデータ入力要求が表示部１４において行われ、被検者はこの要求に従ってこれらの個人パラメータを、入力操作部１５を用いて入力する。一方、中央処理装置２６は、これらの個人パラメータを取得し（ステップＳ１）、当該個人パラメータを記憶装置２５に記憶する。すると、体組成計１０の表示部１４の画面には、図６（ａ）に例示するように、被検者の個人パラメータが表示される。なお、ここでは、被検者の身長（１７２．０ｃｍ）と、性別（男性）と、年齢（３２才）と、が表示されている。
【００７６】
被検者の個人パラメータのうちの入力項目には、少なくとも被検者の年齢および性別が含まれるが、これらの他、被検者の身長やウエストサイズを含んでもよい。
【００７７】
なお、後述の被検者の身体部位毎の「筋肉量指数」や「筋肉率指数」を得るには、被検者の身体部位毎の長さ（ｃｍ）、つまり、両腕の長さ、両脚の長さ、および、体幹長さが必要になる。このため、被検者が、これらの長さを、入力操作部１５を介して入力してもよいが、中央処理装置２６が、被検者の身長を基にして身体部位毎の長さの推定値を演算してもよい。
【００７８】
なお、被検者の体重については、中央処置装置２６は、後述のステップＳ２においてロードセル２０により取得できるので、被検者は体重を入力する必要はないが、ステップＳ２に代えて、被検者が自己の体重を、入力操作部１５を介して入力するよう、体組成計１０の動作を改変してもよい。
【００７９】
次に、被検者により個人パラメータの入力が完了すると、中央処理装置２６は、入出力装置２３を介して被検者の体重の測定を促す要求を表示部１４の画面に表示する。
【００８０】
被検者が、体組成計１０の測定面１７に配置した生体インピーダンス測定用の脚用電極Ｅ５〜Ｅ８に両脚を載せることによって、体組成計１０は、被検者の体重を測定できる状態になる。そして、入力操作部１５の体重測定開始スイッチが押されれば、中央処理装置２６は、体重の測定値を取得し（ステップＳ２）、当該体重を記憶装置２５に記憶する。すると、体組成計１０の表示部１４の画面には、図６（ｂ）に例示するように、被検者の個人パラメータが表示される。なお、ここでは、被検者の体重（６５．０Ｋｇ）と、ウエストサイズ（７５ｃｍ）と、が表示されている。
【００８１】
次に、中央処理装置２６は、入出力装置２３を介して被検者の生体インピーダンスの測定を促す要求を表示部１４の画面に表示する。そして、表示部１４の画面にて測定開始指示があれば、被検者は、体組成計１０の本体部１１に配置した生体インピーダンス測定用の手用電極Ｅ１〜Ｅ４を指先で摘まむことによって被検者の身体部位毎の生体インピーダンス（Ｚ１、Ｚ２、Ｚ３、Ｚ４、Ｚ５）が、少なくとも１つ以上の周波数の微弱な交流電流を用いて測定される。体組成計１０の表示部１４の画面には、図６（ｃ）に示すように、生体インピーダンス（Ｚ１、Ｚ２、Ｚ３、Ｚ４、Ｚ５）の測定中であることを表すハイフン「‐‐‐」の記号が表示されている。なお、被検者がアスリートであるか否かを判定する場合には、生体インピーダンス（Ｚ１、Ｚ２、Ｚ３、Ｚ４、Ｚ５）の測定に使用する交流電流の周波数は、被検者の細胞内の水分（つまり筋肉）を適切に把握できるように、１００ＫＨｚ程度の高い周波数であることが好ましい。
【００８２】
生体インピーダンス（Ｚ１、Ｚ２、Ｚ３、Ｚ４、Ｚ５）の測定終了の後、中央処理装置２６は、これらの生体インピーダンス（Ｚ１、Ｚ２、Ｚ３、Ｚ４、Ｚ５）の測定値を取得し（ステップＳ３）、当該生体インピーダンス（Ｚ１、Ｚ２、Ｚ３、Ｚ４、Ｚ５）を記憶装置２５に記憶する。
【００８３】
次に、中央処理装置２６は、ステップＳ１の身体部位毎の長さ、および、ステップＳ３の被検者の身体部位毎の生体インピーダンス（Ｚ１、Ｚ２、Ｚ３、Ｚ４、Ｚ５）を用いて、「（身体部位の長さ）2÷（身体部位の生体インピーダンス）」の式を用いて「筋肉量指数」を演算する（ステップＳ４）。また、中央処理装置２６は、ステップＳ１の身体部位毎の長さ、ステップＳ２の体重、および、ステップＳ３の被検者の身体部位毎の生体インピーダンス（Ｚ１、Ｚ２、Ｚ３、Ｚ４、Ｚ５）を用いて、「（身体部位の長さ）2÷（身体部位の生体インピーダンス）÷体重」の式を用いて「筋肉率指数」を演算する（ステップＳ４）。なお、これらの演算式は、予め記憶装置２５に記憶されている。
【００８４】
ここで、中央処理装置２６は、ステップＳ４の「筋肉量指数」または「筋肉率指数」が、所定の境界値を越えているか否かを判定する（ステップＳ５）。
【００８５】
この境界値とは、被検者が特異体型を有するか否かを判断する基準となる数値であり、予め記憶装置２５に記憶されている。例えば、被検者がアスリートであるか否かを判定する場合には、図８に示したように、アスリートの身体部位（例えば、両腕）の「筋肉量指数」や「筋肉率指数」の値が、一般的の成人のそれらに比べて一定のレベルよりも高くなることに着目して、適宜の境界値を設定することができる。
【００８６】
ステップＳ４の「筋肉量指数」または「筋肉率指数」が、上述の境界値を越えている場合（ステップＳ４において「ＹＥＳ」の場合）、当該被検者は特異体型（例えば、アスリート）を有する可能性が高い。この場合、中央処理装置２６は、体脂肪率演算用の回帰式や筋肉量演算用の回帰式を用いずに、回帰式によらない「筋肉量指数」や「筋肉率指数」を、被検者の体組成の指標として被検者に提示する（ステップＳ６）。これにより、回帰式を用いたＢＩＡ法に適用困難な被検者に対して、適切な体組成の指標を提示できる。つまり、上述の「筋肉量指数」や「筋肉率指数」については、一般的な成人を対象にした従来の回帰係数のような経験的な補正値に影響されず、高精度の体組成指標であり好適である。
【００８７】
なお、図６（ｄ）において、「筋肉量指数」および「筋肉率指数」の被検者への提示例が示されている。図６（ｄ）の上段には、回帰式を用いたＢＩＡ法を適用した場合に導かれる「筋肉量（Ｋｇ）」が表示されないことを表すハイフン「‐‐‐」の記号が表示され、その下に、「アスリートと判断しました。」旨のコメントが記載されている。図６（ｄ）の下段には、被検者の全身の「筋肉量指数」の数値（ここでは、「１３５」）が示され、この数値の下には、「筋肉量指数」の「低い」、「標準」、「やや高い」および「高い」の何れかを特定する横棒をグラフ表示できるようになっている。
【００８８】
なお、図６（ｄ）には、被検者の全身の「筋肉量指数」を例示しているが、被検者の身体部位毎の「筋肉量指数」を、体組成形１０の表示部１４の画面に表示してもよい。また、被検者の全身および／または身体部位毎の「筋肉率指数」を、表示部１４の画面に表示してもよい。
【００８９】
また、図７は、「筋肉量指数」や「筋肉率指数」の被検者への他の提示例を示した図である。図７（ａ）、図７（ｂ）には、上述（図８）したアスリートについての「筋肉量指数」および「筋肉率指数」の平均値を表す棒グラフＡ（規格値）に、被検者の身体部位毎の「筋肉量指数」および「筋肉率指数」の棒グラフＢ（規格値）が併記されている。また、図７の下段に示すように、被検者の体組成の測定結果についての適宜のコメントを記載してもよい。
【００９０】
一方、ステップＳ４の「筋肉量指数」または「筋肉率指数」が、上述の境界値を超えていない場合（ステップＳ４において「Ｎｏ」の場合）、当該被検者は特異体型（例えば、アスリート）を有する可能性が低い。この場合、中央処理装置２６は、体脂肪率演算用の回帰式や筋肉量演算用の回帰式から被検者の「体脂肪率」や「筋肉量」を演算し、これらを被検者に提示する（ステップＳ７）。なお、ステップＳ７における「体脂肪率」や「筋肉量」の演算法は周知なので、ステップＳ７の処理の詳細な説明は省略する。
【００９１】
このようにして、中央処理装置２６は、一連の被検者の体組成測定モードの動作を終える。
【００９２】
以上に述べたように、本実施形態の体組成計１０は、被検者の身体部位の生体インピーダンスを測定するインピーダンス測定手段２２と、制御手段２４と、を備える。そして、この制御手段２４は、被検者の生体インピーダンスに相関する回帰式によらない「筋肉量指数」や「筋肉率指数」に基づいて、被検者が特異体型（例えばアスリート）を有するか否かを判定できるように構成されている。
【００９３】
これにより、被検者が特異体型を有する場合とそうでない場合とを適切に区別できるようになり、その結果、体組成計１０の体組成測定の信頼性が向上する。
【００９４】
また、本実施形態の体組成計１０は、被検者の個人パラメータを制御手段２４に入力できる入力操作部１５やロードセル２０を更に備える。そして、この制御手段２４の中央処理装置２６は、個人パラメータおよび上述の生体インピーダンスに基づいて回帰式によらない「筋肉量指数」や「筋肉率指数」を導く。中央処理装置２６は、その後、「筋肉量指数」や「筋肉率指数」に基づいて被検者が特異体型を有すると判定した場合には、上述の「筋肉量指数」や「筋肉率指数」を被検者の体組成の指標として被検者に提示し、被検者が特異体型を有しないと判定した場合には、記憶装置２５に予め記憶された被検者の体脂肪率演算用回帰式や筋肉量演算用回帰式を読み出し、個人パラメータおよび生体インピーダンスに基づいて、これらの回帰式から被検者の体脂肪率や筋肉量を直接に演算できるように構成されている。
【００９５】
このようにして、既存の体脂肪計などに、被検者が特異体型を有する場合の特殊な測定モードを組み込むことができる。
【００９６】
これにより、回帰式を用いたＢＩＡ法に適用困難な被検者に対して、適切な体組成の指標を提示でき、一般的な成人や特異体型の持ち主を問わず、広く体組成の評価が行える。また、これらの「筋肉量指数」や「筋肉率指数」については、一般的な成人を対象にした従来の回帰係数のような経験的な補正値に影響されず、高精度の体組成指標であり好適である。このため、これまで不適格と見做されていた「運動中の測定」であっても、これらの指数の変化を「生理変化」と捉えることができ、体組成計の汎用性の向上が期待できる。
（変形例１）
本実施形態では、「（身体部位の長さ）2÷（身体部位の生体インピーダンス）」の式を用いた「筋肉量指数」や「（身体部位の長さ）2÷（身体部位の生体インピーダンス）÷体重」の式を用いた「筋肉率指数」を特異体型の被検者に提示する例を述べた。これらの指数は、被検者の「身体部位の長さ」などを含み、被検者の身体部位毎の生体インピーダンス（Ｚ１、Ｚ２、Ｚ３、Ｚ４、Ｚ５）に相関する数値である。このような「筋肉量指数」や「筋肉率指数」に代えて、体組成計は、被検者の身体部位毎の生体インピーダンス（Ｚ１、Ｚ２、Ｚ３、Ｚ４、Ｚ５）自体を、被検者の体組成の指標として被検者に提示してもよい。例えば、一定期間毎（例えば、朝夕や一週間毎）の生体インピーダンス（Ｚ１、Ｚ２、Ｚ３、Ｚ４、Ｚ５）の変化量、または、運動（例えば、筋肉トレーニング）の前後の生体インピーダンス（Ｚ１、Ｚ２、Ｚ３、Ｚ４、Ｚ５）の変化量を、適宜の方法により指数化して被検者に提示してもよい。
【００９７】
これにより、被検者の体成分や体型についてより敏感に反映できる生体インピーダンス（Ｚ１、Ｚ２、Ｚ３、Ｚ４、Ｚ５）の日々の推移や、このような生体インピーダンス（Ｚ１、Ｚ２、Ｚ３、Ｚ４、Ｚ５）の変化に基づいた運動の効果を知ることができる。
（変形例２）
本実施形態では、特異体型の持ち主として、アスリートを例示したが、これは飽くまで一例に過ぎない。特異体型の持ち主には、アスリートの他、幼児、病人、高齢者を例に挙げることができる。なお、この場合、各被検者の特異性に合わせて、交流電流の周波数を設定する必要があると考えられる。
（変形例３）
本実施形態では、本体部１１に制御手段２４を設ける例を説明したが、その変形例として、制御手段２４に代えて、市販のパーソナルコンピュータを用いてもよい。つまり、パーソナルコンピュータの記憶装置に体組成導出用プログラムや各種の演算式を記憶させ、別途、生体インピーダンス（Ｚ１、Ｚ２、Ｚ３、Ｚ４、Ｚ５）を公知の適宜な測定手段で測定して、このデータをパーソナルコンピュータに入力すれば、パーソナルコンピュータ上で、「筋肉量指数」、「筋肉率指数」、「体脂肪率」および「筋肉量」などを導くことができる。
（変形例４）
本実施形態では、被検者の身体部位として、右腕、左腕、体幹、右脚、左脚を選んでいるが、本明細書における「身体部位」はこれに限らない。例えば、被検者の「身体部位」として「脚」、「腕」または「体幹」の中の局所的部分を選び、当該部分に電極を当てて生体インピーダンスを測定してもよい。このような身体の局所的部分の生体インピーダンスを測定することにより、当該部分の血行状態、こり、むくみなどを評価することができる。
【００９８】
そして、この場合、単一の周波数の交流電流を用いて生体インピーダンスを測定するよりも、低周波数（例えば、５ＫＨｚ）および高周波数（例えば、２５０ＫＨｚ）の交流電流のそれぞれを用いて、生体インピーダンスを測定して、両者の比率を取ると、上述の局所的部分の血行状態などをより適切に評価できる場合がある。
【産業上の利用可能性】
【００９９】
本発明の体組成計によれば、体組成の測定精度の向上を図れる。このため、この体組成計は、例えば、家庭用の健康関連機器として有用である。
【図面の簡単な説明】
【０１００】
【図１】本発明の実施形態の体組成計の外観を示した斜視図である。
【図２】体重測定部から本体部を離脱させた際の、本発明の実施形態の体組成計の外観を示した斜視図である。
【図３】本発明の実施形態の体組成計の信号処理に関するハードウェア構成を示したブロック図である。
【図４】被検者の身体部位毎（腕部、体幹および脚部）における生体インピーダンスの配置例を模式的に示す図である。
【図５】本実施形態の体組成計による体組成測定モードの主要な動作を示したフローチャートである。
【図６】本発明の実施形態の体組成計の体組成測定動作の経過に応じて変化する表示部の画面例を示した図である。
【図７】「筋肉量指数」や「筋肉率指数」の被検者への他の提示例を示した図である。
【図８】アスリートの身体部位毎の「除脂肪体積」および「除脂肪割合」を、一般的な成人のそれらと比較して示した図である。
【符号の説明】
【０１０１】
１０  体組成計
１１  本体部
１２  信号ケーブル
１１ａ        脱着部
１３  体重測定部
１４  表示部
１５  入力操作部（個人パラメータ取得手段）
１６ａ        左突出部
１６ｂ        右突出部
１７  測定面
２０  ロードセル（個人パラメータ取得手段）
２１  インピーダンス測定回路
２２  インピーダンス測定手段
２４  制御手段
２６  中央処理装置
２５  記憶装置
Ｅ１〜Ｅ４  手用電極
Ｅ５〜Ｅ８  脚用電極
Ｚ１〜Ｚ５  生体インピーダンス
【図１】
2008279173.tif 000003
【図２】
2008279173.tif 000004
【図３】
2008279173.tif 000005
【図４】
2008279173.tif 000006
【図５】
2008279173.tif 000007
【図６】
2008279173.tif 000008
【図７】
2008279173.tif 000009
【図８】
2008279173.tif 000010